(57)【要約】【課題】  航空便搭乗のためにタクシー配車予約の登録をする場合に、必要事項の登録作業を簡略化して、反復して利用する者の予約登録を支援する。【解決手段】  予約受付手段１１は、ユーザ端末から出発日を入力する。会員認証手段１２による認証後、個人スケジュール情報取得手段１３は、個人スケジュール情報マスタＤＢ２４から、会員が出発日に搭乗を予定している便名を取得する。フライト情報取得手段１４は、フライト情報マスタＤＢ２５から航空便の航空会社と出発空港と到着空港と出発予定時刻とを取得する。詳細目的地取得手段１５は、予約登録の履歴を蓄積する個人履歴テーブル２２、航空会社や出発空港ごとに降車場所（詳細目的地）を定める詳細目的地マスタＤＢ２３のいずれかから詳細目的地を取得する。予約情報作成手段１７は、詳細目的地を含む予約内容をユーザ端末３へ表示し、ユーザの確認指示を受信すると予約内容をもとに車両予約に必要な事項（予約情報）を作成し出力する。【選択図】  図１
2005316933.tif 000002
【特許請求の範囲】
【請求項１】
航空便に搭乗する空港までのタクシー配車予約登録を支援する処理を、コンピュータに実行させるためのプログラムであって、
データ通信可能なユーザ端末から送信された、航空便に搭乗する予定の出発日を入力する処理と、
ユーザの出発日および搭乗予定の航空便の便名を示す個人スケジュール情報を格納する個人スケジュール情報マスタデータベースにアクセスし、前記出発日に搭乗予定の航空便の便名を取得する処理と、
航空便の運行に関するフライト情報を管理するフライト情報マスタデータベースにアクセスし、前記便名をキーに検索した航空便の航空会社および出発空港を取得する処理と、
航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【請求項２】
航空便に搭乗する空港までのタクシー配車予約登録を支援する処理を、コンピュータに実行させるためのプログラムであって、
データ通信可能なユーザ端末から送信された、航空便に搭乗する予定の出発日を入力する処理と、
ユーザの、出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースにアクセスし、前記出発日に搭乗予定の航空便の便名および前記便名のフライト情報を取得する処理と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【請求項３】
航空便に搭乗する空港までのタクシー配車予約登録を支援する処理を、コンピュータに実行させるためのプログラムであって、
データ通信可能なユーザ端末から送信された、ユーザを一意に特定する会員識別情報および航空便に搭乗する予定の出発日を入力する処理と、
ユーザごとに、会員識別情報、タクシーによる移動の出発地、および航空便の出発予定時刻までに必要な余裕時間を示す希望時間を登録した会員情報を格納する会員情報記憶手段にアクセスし、前記会員識別情報をキーに検索したユーザの出発地および希望時間を取得する処理と、
ユーザごとに出発日および搭乗予定の航空便の便名を示す個人スケジュール情報を格納する個人スケジュール情報マスタデータベースにアクセスし、前記出発日に搭乗予定の航空便の便名を取得する処理と、
航空便の運行に関するフライト情報を管理するフライト情報マスタデータベースにアクセスし、前記便名をキーに検索した航空便の航空会社、出発空港、到着空港、および出発予定時刻を取得する処理と、
航空会社および出発空港および到着空港の組み合わせごとに指定されたタクシーの降車場所を示す詳細目的地を格納する詳細目的地記憶手段にアクセスし、前記航空会社、出発空港および到着空港をキーに検索した詳細目的地を抽出する処理と、
前記出発予定時刻から前記希望時間を差し引いて到着希望時刻を算出する処理と、
前記出発日、前記出発地、前記詳細目的地および前記到着希望時刻を含む予約内容を示す画面を作成して前記ユーザ端末へ送信する処理と、
前記ユーザ端末から前記予約内容の確認指示を受信すると、前記出発日、前記出発地、前記詳細目的地および前記到着希望時刻をもとに車両予約のための予約情報を作成する処理とを、
コンピュータに実行させるためのタクシー配車予約登録支援プログラム。
【請求項４】
航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、航空便に搭乗する予定の出発日および搭乗予定の航空便の便名を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名を取得する処理と、
航空便の運行に関するフライト情報を管理するフライト情報マスタデータベースにアクセスし、前記便名をキーに検索した航空便の航空会社および出発空港を取得する処理と、
航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【請求項５】
航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、航空便に搭乗する予定の出発日、搭乗予定の航空便の便名および前記便名の運行に関する情報であって少なくとも航空会社、出発空港、出発予定時刻を含むフライト情報を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名と、前記便名のフライト情報を取得する処理と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【発明の詳細な説明】
【技術分野】
【０００１】
本発明は、航空便に搭乗予定の利用者がタクシーの配車予約を行う場合に、利用者が行う配車予約に必要な事項の登録を支援する処理をコンピュータに実行させるためのプログラムに関する。
【背景技術】
【０００２】
航空会社の乗務員や航空便の定期的な利用者などは、航空便に搭乗する空港までの移動にタクシーを利用するために、タクシーの配車予約を行うことが多い。このようなタクシー配車予約を反復的に行う利用者は、配車予約のたびに、タクシーの乗車場所、目的地である空港、希望する到着時刻などを予約担当者に伝達しなければならなかった。
【０００３】
出発地である自宅から目的地の空港まで列車を利用する場合の経路の案内であれば、ユーザが指定した出発地、目的地、到着時刻をもとに作成した経路案内情報を、インターネットを利用してコンピュータや携帯電話機などの通信可能な端末装置に提供する技術がよく知られている。
【０００４】
また、目的地から出発地までの列車による経路案内情報を、利用者が予約した列車便の情報を考慮して作成し、利用者の携帯通信装置に提供する経路案内情報配信システムが知られている（特許文献１参照）。
【特許文献１】特開２００２−３１０７１６号公報
【発明の開示】
【発明が解決しようとする課題】
【０００５】
タクシーの配車予約を定期的または継続的にする利用者にとって、出発地、目的地、希望する到着時刻（到着希望時刻）などの予約に必要な事項を、配車予約のたびに予約担当者に伝達することは、非常に煩わしい作業と感じられていた。
【０００６】
特に、航空会社の乗務員にとっては、配車予約に必要な事項のうち、タクシーによる移動の出発地は通常利用者の自宅であり、また搭乗予定便の出発予定時刻前に出発空港へ到着したい余裕時間や、搭乗する航空便の出発空港と到着空港とによって、出発空港内でタクシーを降車したい場所は、ほぼ同じであることが多い。そのため、乗務員にとって、頻繁な配車予約を行う必要があるうえ、同じような内容の事項を予約のたびに伝達するという作業が、大きなストレスとなっていた。
【０００７】
前記の特許文献１に記載のシステムによってこのシステムの利用者に提供される経路案内情報は、利用者が既に予約した列車便を利用する場合の出発地から目的地までの最適経路の情報であるため、その経路案内情報を配車予約のために利用することは難しく、予約時の必要事項登録作業の簡略化を図ることはできない。このように、従来、搭乗予約した航空便に応じたタクシーの配車予約時の必要事項登録作業の簡略化を図るシステムは実現されていなかった。
【０００８】
そのため、本発明に先立ち、発明者らは、配車予約を行う際に利用者が行う登録作業を簡略化して、定期的かつ継続的な配車予約の利用者のストレスを低減できるようなタクシー予約登録を支援する処理をコンピュータに実行させるためのプログラムを発明した。この発明は、利用者によって、ユーザ端末から出発日と出発日に搭乗予定の航空便の便名が入力されると、フライト情報データベースから航空便の航空会社と出発空港と到着空港と出発予定時刻とを取得し、予め航空会社や出発空港ごとに降車場所（詳細目的地）を定めて記憶しておいた詳細目的地データベースを参照して該当する詳細目的地を取得し、この詳細目的地を含む予約内容をユーザ端末へ表示し、ユーザの確認指示を受信すると予約内容をもとに車両予約に必要な事項（予約情報）を作成し出力するものである（特願２００３−５２９５３参照）。
【０００９】
しかし、タクシーの配車予約登録の利用者が、搭乗予定の航空便の便名を忘れてしまったり、うろ覚えで正確な便名が分からない場合などには、このタクシー配車予約登録支援プログラムによってタクシーの配車予約の登録を行うことはできない。
【００１０】
また、前記の特許文献１に記載のシステムにおいても、利用者が予約した列車便名を忘れてしまったり、うろ覚えである場合には、経路案内情報を得ることはできなかった。
【００１１】
本発明は、定期的かつ継続的な配車予約の利用者のストレスをさらに低減することを図るため、タクシーの配車予約を行う際の利用者の登録作業をさらに簡略化して、ユーザがタクシーを利用する出発日（搭乗予定日）だけ、または会員を特定する情報だけを入力しても配車予約が行えるようなタクシー配車予約登録の支援処理の技術を提供することである。
【課題を解決するための手段】
【００１２】
前記の目的のため、本発明は、航空便に搭乗する空港までのタクシー配車予約登録を支援する処理を、コンピュータに実行させるためのプログラムであって、１）データ通信可能なユーザ端末から送信された、航空便に搭乗する予定の出発日を入力する処理と、２）ユーザの出発日および搭乗予定の航空便の便名を示す個人スケジュール情報を格納する個人スケジュール情報マスタデータベースにアクセスし、前記出発日に搭乗予定の航空便の便名を取得する処理と、３）航空便の運行に関するフライト情報を管理するフライト情報マスタデータベースにアクセスし、前記便名をキーに検索した航空便の航空会社および出発空港を取得する処理と、４）航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、５）前記詳細目的地を含む予約内容を示す画面を作成して前記ユーザ端末へ送信する処理と、６）前記ユーザ端末から前記予約内容の確認指示を受信すると、前記詳細目的地を目的地とする車両予約のための予約情報を作成する処理とを、コンピュータに実行させるものである。
【００１３】
上記本発明を実行するコンピュータは、ユーザ端末から送信された、航空便に搭乗する予定の出発日を入力する。そして、タクシー配車予約登録の利用者（以下ユーザ）が航空便に搭乗する予定日および搭乗予定の便名を示す個人スケジュール情報を格納する個人スケジュール情報マスタデータベースにアクセスし、入力された出発日を搭乗予定日として搭乗予定の航空便の便名を取得する。さらに、航空便の運行に関するフライト情報を管理するフライト情報マスタデータベースにアクセスし、個人スケジュール情報から取得した便名をキーに検索した航空便の航空会社および出発空港を取得する。また、航空会社と出発空港との組み合わせごとに指定されたタクシーの降車場所を示す詳細目的地を格納する詳細目的地記憶手段にアクセスし、フライト情報から取得した航空会社および出発空港をキーに詳細目的地を抽出し、抽出した詳細目的地を含む予約内容を示す画面を作成して前記ユーザ端末へ送信する。その後、ユーザ端末から予約内容の確認指示を受信すると、詳細目的地を目的地とする車両予約のための予約情報を作成する。
【００１４】
また、別の本発明は、１）データ通信可能なユーザ端末から送信された、航空便に搭乗する予定の出発日を入力する処理と、２）ユーザの、出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースにアクセスし、前記出発日に搭乗予定の航空便の便名および前記便名のフライト情報を取得する処理と、３）航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、４）前記詳細目的地を含む予約内容を示す画面を作成して前記ユーザ端末へ送信する処理と、５）前記ユーザ端末から前記予約内容の確認指示を受信すると、前記詳細目的地を目的地とする車両予約のための予約情報を作成する処理とを、コンピュータに実行させるためのものである。
【００１５】
上記本発明を実行するコンピュータは、ユーザ端末から送信された、航空便に搭乗する予定の出発日を入力する。そして、ユーザの、出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースにアクセスし、前記出発日に搭乗予定の航空便の便名および前記便名のフライト情報を取得する。さらに、航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する。そして、前記詳細目的地を含む予約内容を示す画面を作成して前記ユーザ端末へ送信し、前記ユーザ端末から前記予約内容の確認指示を受信すると、前記詳細目的地を目的地とする車両予約のための予約情報を作成する。
【００１６】
これにより、ユーザが、ユーザ端末で航空便に搭乗する予定の出発日を入力するだけでタクシー配車予約に必要な事項の全てを特定して予約情報を作成することができるタクシー配車予約登録支援処理を提供することができる。
【００１７】
また、別の本発明は、１）データ通信可能なユーザ端末から送信された、ユーザを一意に特定する会員識別情報を入力する処理と、２）前記会員識別情報が入力された入力日付を取得する処理と、３）ユーザごとに、航空便に搭乗する予定の出発日および搭乗予定の航空便の便名を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名を取得する処理と、４）航空便の運行に関するフライト情報を管理するフライト情報マスタデータベースにアクセスし、前記便名をキーに検索した航空便の航空会社および出発空港を取得する処理と、５）航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、６）前記詳細目的地を含む予約内容を示す画面を作成して前記ユーザ端末へ送信する処理と、７）前記ユーザ端末から前記予約内容の確認指示を受信すると、前記詳細目的地を目的地とする車両予約のための予約情報を作成する処理とを、コンピュータに実行させるためのものである。
【００１８】
上記本発明を実行するコンピュータは、データ通信可能なユーザ端末から送信された、ユーザを一意に特定する会員識別情報を入力し、前記会員識別情報が入力された入力日付を取得する。そして、ユーザごとに、航空便に搭乗する予定の出発日および搭乗予定の航空便の便名を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名を取得する。さらに、航空便の運行に関するフライト情報を管理するフライト情報マスタデータベースにアクセスし、前記便名をキーに検索した航空便の航空会社および出発空港を取得する。そして、航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する。その後、前記詳細目的地を含む予約内容を示す画面を作成して前記ユーザ端末へ送信し、前記ユーザ端末から前記予約内容の確認指示を受信すると、前記詳細目的地を目的地とする車両予約のための予約情報を作成する。
【００１９】
また、別の本発明は、１）データ通信可能なユーザ端末から送信された、ユーザを一意に特定する会員識別情報を入力する処理と、２）前記会員識別情報が入力された入力日付を取得する処理と、３）ユーザごとに、航空便に搭乗する予定の出発日、搭乗予定の航空便の便名および前記便名の運行に関する情報であって少なくとも航空会社、出発空港、出発予定時刻を含むフライト情報を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名と、前記便名のフライト情報を取得する処理と、４）航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、５）前記詳細目的地を含む予約内容を示す画面を作成して前記ユーザ端末へ送信する処理と、６）前記ユーザ端末から前記予約内容の確認指示を受信すると、前記詳細目的地を目的地とする車両予約のための予約情報を作成する処理とを、コンピュータに実行させるためのものである。
【００２０】
上記本発明を実行するコンピュータは、データ通信可能なユーザ端末から送信された、ユーザを一意に特定する会員識別情報を入力し、前記会員識別情報が入力された入力日付を取得する。そして、ユーザごとに、航空便に搭乗する予定の出発日、搭乗予定の航空便の便名および前記便名の運行に関する情報であって少なくとも航空会社、出発空港、出発予定時刻を含むフライト情報を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名と、前記便名のフライト情報を取得する。そして、航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する。そして、前記詳細目的地を含む予約内容を示す画面を作成して前記ユーザ端末へ送信し、前記ユーザ端末から前記予約内容の確認指示を受信すると、前記詳細目的地を目的地とする車両予約のための予約情報を作成する。
【００２１】
これにより、ユーザが、ユーザ端末で会員識別情報を入力するだけでタクシー配車予約に必要な事項の全てを特定して予約情報を作成することができるタクシー配車予約登録支援処理を提供することができる。
【発明の効果】
【００２２】
前述のように、本発明によれば、航空便へ搭乗するユーザが空港までの移動のためにタクシーの配車予約を登録する場合に、配車予約時に頻繁に使用される情報の登録操作を省略または簡略化を図り、航空便へ搭乗する予定の出発日のみを入力することで予約登録作業を完了できるようにする。これにより、ユーザが感じるタクシー配車予約登録時の操作のストレスを低減することができる。
【００２３】
特に、航空便の乗務員など、乗務日（出発日）および乗務便（搭乗予定便）などの乗務スケジュールが予め管理されているようなユーザが利用する場合に、本発明によれば、この乗務スケジュール情報から出発日や搭乗予定便名などを取得することができるため、ユーザは会員識別情報のみを入力するだけで、直近の乗務日（出発日）についての配車予約を登録することができ、予約登録の操作の一層の簡略化を図ることができる。
【００２４】
また、配車予約を受けるタクシー会社は、配車予約の度に必要な事項の登録が繰り返えされることによる必要事項の誤入力や誤伝達を回避することができ、確実な配車予約を受け付けることができる。
【発明を実施するための最良の形態】
【００２５】
以下、本発明を実施するための最良の形態を、図を用いて説明する。
【００２６】
図１に、本発明の予約登録支援装置の構成例を示す。
【００２７】
本発明の予約登録支援装置１は、予め会員登録をしたユーザがタクシーの配車予約を行う場合に、ユーザの配車予約に必要な事項の登録作業を支援する装置である。配車予約の必要事項とは、少なくとも、タクシーによる移動の出発日、出発地、タクシーによる移動の目的地である出発空港内の降車場所を示す詳細目的地、およびユーザが希望する詳細目的地への到着時間である到着希望時刻である。
【００２８】
予約登録支援装置１は、予約受付手段１１、会員認証手段１２、個人スケジュール情報取得手段１３、フライト情報取得手段１４、詳細目的地取得手段１５、到着希望時刻取得手段１６、予約情報作成手段１７、会員情報データベース（会員情報ＤＢ）２１、個人履歴テーブル２２、および詳細目的地マスタデータベース（詳細目的地マスタＤＢ）２３で構成される。
【００２９】
また、予約登録支援装置１は、会員登録しているユーザが使用するコンピュータ端末やデータ通信機能付き携帯電話機などのユーザ端末３と、インターネットなどのネットワークを介してデータの送受信ができ、かつ、タクシーの配車予約を管理する車両予約システム５へ出力することができる。
【００３０】
なお、本実施の形態においては、予約登録支援装置１は、コンピュータを、以下の各手段を備える装置として機能させるためのプログラムにより実現する。
【００３１】
予約登録支援装置１の予約受付手段１１は、ユーザ端末３の入力手段３１で入力された、ユーザの会員ＩＤと、航空便への搭乗を予定してタクシーの利用を予定する出発日とを受け付け、入力する処理手段である。また、予約受付手段１１は、各ユーザの予約登録支援装置１による予約履歴を個人履歴テーブル２２に蓄積する。
【００３２】
会員認証手段１２は、予約受付手段１１が受け付けた会員ＩＤをもとに、会員情報ＤＢ２１を参照してユーザの会員認証を行う処理手段である。
【００３３】
会員情報ＤＢ２１は、予約登録支援装置１の利用が許可されたユーザに関する会員情報を管理するデータベースである。
【００３４】
図２に、会員情報ＤＢ２１のデータ構成例を示す。会員情報ＤＢ２１には、会員情報として、ユーザを一意に特定するための識別情報（会員ＩＤ）、会員の氏名、自宅住所、希望時間などのデータが予め格納される。また、ユーザが航空会社の乗務員である場合には、所属航空会社名などのデータも格納される。
【００３５】
自宅住所は、通常、タクシーによる移動の出発地とみなされる。希望時間は、搭乗予定の航空便の出発予定時刻までに必要な余裕時間を示す。例えば、搭乗予定の航空便の出発時刻より９０分前に空港の所定の場所に到着し、乗務打ち合わせを行う予定であれば、ユーザは、希望時間に「９０分」を登録しておく。
【００３６】
個人スケジュール情報取得手段１３は、外部に備えられた個人スケジュール情報マスタデータベース（個人スケジュール情報マスタＤＢ）２４から、会員ＩＤで特定された会員の個人スケジュール情報を抽出し、個人スケジュール情報の搭乗予定の出発日および便名を取得する処理手段である。
【００３７】
個人スケジュール情報マスタＤＢ２４は、会員ＩＤ、航空便に搭乗予定の日付を示す出発日、搭乗予定の航空便の便名などの個人スケジュール情報を会員であるユーザごとに管理・記憶するデータベースである。
【００３８】
図３に、個人スケジュール情報取得手段１３が個人スケジュール情報マスタＤＢ２４から取得する個人スケジュール情報の例を示す。個人スケジュール情報は、会員ＩＤ、出発日、搭乗予定の航空便の便名などのデータで構成される。
【００３９】
便名は、航空便を一意に特定するために、一般的に英字３桁と数字３桁を組み合わせた６桁のコードとして表記される。例えば、ＪＪＪ航空会社が運行する１２３便は、航空会社の略号ＪＪＪと、便名１２３とを組み合わせて「ＪＪＪ１２３」と表記される。
【００４０】
フライト情報取得手段１４は、外部に備えられたフライト情報マスタデータベース（フライト情報マスタＤＢ）２５から、個人スケジュール情報取得手段１３で取得された便名のユーザが搭乗予定の航空便に関するフライト情報を取得する処理手段である。
【００４１】
フライト情報マスタＤＢ２５は、運行される航空便に関する、便名、出発予定時刻、到着予定時刻、出発空港、到着空港、経由空港、航空会社などの情報を、航空会社または空港ごとに管理するデータベースである。
【００４２】
図４は、フライト情報取得手段１４がフライト情報マスタＤＢ２５から取得するフライト情報の例を示す。フライト情報は、航空便の便名、出発予定時刻、到着予定時刻、出発空港、到着空港などのデータからなる。
【００４３】
フライト情報取得手段１４は、取得したフライト情報から、航空便の航空会社と出発空港とを抽出する。個人スケジュール情報から取得された便名が複数の場合には、取得した複数の航空便のフライト情報の出発予定時刻を参照して、最も早い出発予定時刻の便名を１つ特定する。
【００４４】
詳細目的地取得手段１５は、個人履歴テーブル２２または詳細目的地マスタＤＢ２３を参照して、タクシーによる移動の目的地である空港内のタクシー降車場所を示す詳細目的地を取得する処理手段である。
【００４５】
詳細目的地マスタＤＢ２３は、目的地となる出発空港内において詳細目的地となる場所を、航空会社、空港などに関連付けて管理するデータベースである。
【００４６】
図５に、個人履歴テーブル２２のデータ構成例を示す。個人履歴テーブル２２には、会員ごとの予約履歴として、利用日、利用時間、配車予約された搭乗予定の航空便の出発空港、到着空港、航空会社名などのフライト情報、詳細目的地などのデータが格納される。
【００４７】
図６に、詳細目的地マスタＤＢ２３のデータ構成例を示す。詳細目的地マスタＤＢ２３には、各航空会社の航空便の出発空港と到着空港との組み合わせごとに指定された詳細目的地が格納される。例えば、航空会社ＪＪＪが運行する航空便であって、出発空港が羽田空港、到着空港が成田空港であるものについて、羽田空港内の第１ターミナル２Ｆ中央、第１ターミナル２Ｆ港側などの場所が詳細目的地として詳細目的地マスタＤＢ２３に予め登録される。
【００４８】
到着希望時刻取得手段１６は、フライト情報の出発予定時刻と会員情報ＤＢ２１の希望時間とをもとに、詳細目的地への到着希望時刻を取得する処理手段である。例えば、出発予定時刻が「ＡＭ６：５５」、希望時間が「９０分」である場合に、出発予定時刻から希望時間を差し引いて、到着希望時刻「ＡＭ５：２５」を取得する。
【００４９】
予約情報作成手段１７は、出発日、出発地、詳細目的地、到着希望時刻を含む予約内容を示す画面をユーザ端末３に送信し、その予約内容に対するユーザの確認を受信すると、配車予約に必要な出発日、出発地、詳細目的地、到着希望時刻を含む情報（予約情報）を作成し、車両予約システム５へ予約情報を送信する処理手段である。
【００５０】
次に、図７〜図１０を用いて予約登録支援装置１の処理の流れを説明する。
【００５１】
図７は予約登録支援装置の概要処理フロー図、図８は搭乗便名の取得処理（図７のステップＳ１２の処理）の処理フロー図、図９は詳細目的地指定処理（図７のステップＳ１６の処理）の処理フロー図、図１０は、予約履歴の蓄積処理（図７のステップＳ１８の処理）の処理フロー図である。
【００５２】
ユーザがユーザ端末３の入力手段３１で会員ＩＤを入力し、予約登録支援装置１の予約受付手段１１がユーザ端末３から送信された会員ＩＤを受け付けて入力すると、以下の処理が開始される。
【００５３】
予約登録支援装置１の会員認証手段１２は、会員情報ＤＢ２１を参照して会員情報をもとに認証を行う（ステップＳ１０）。会員認証ができれば、予約受付手段１１は、ユーザ端末３から送信された出発日を入力し（ステップＳ１１）、搭乗便名の取得処理を行う（ステップＳ１２）。
【００５４】
図８に示す搭乗便名の取得処理において、個人スケジュール情報取得手段１３は、入力された会員ＩＤをキーに、個人スケジュール情報マスタＤＢ２４を検索し、該当する個人スケジュール情報を取得して（ステップＳ２０）、個人スケジュール情報から、入力された出発日に搭乗を予定している便名を取得する（ステップＳ２１）。
【００５５】
フライト情報取得手段１４は、個人スケジュール情報に、搭乗予定の航空便の便名とともにそのフライト情報（出発する空港、出発予定時刻、到着する空港、到着予定時刻など）が含まれているかどうかを調べる（ステップＳ２２）。そして、個人スケジュール情報に搭乗予定の航空便のフライト情報が含まれていなければ、フライト情報マスタＤＢ２５を参照して、個人スケジュール情報から抽出した便名のフライト情報（出発空港名、到着空港名、航空会社名、出発予定時刻、到着予定時刻など）を取得する（ステップＳ２３）。
【００５６】
例えば、フライト情報マスタＤＢ２５が航空会社ごとに管理されている場合に、フライト情報取得手段１４は、便名として使用される各航空会社の略号リストを予め保持しておく。そして、入力した便名の６桁のコード「ＸＸＸｎｎｎ」の先頭の３英文字をキーに略号リストを検索して航空会社を特定し、特定した航空会社のフライト情報マスタＤＢ２５へアクセスし、入力した６桁の便名をキーに前記のフライト情報を取得する。
【００５７】
また、個人スケジュール情報から抽出した便名が複数であれば（ステップＳ２４）、フライト情報の出発予定時刻を参照して、最も早い出発予定時刻の便名を１つ抽出して搭乗便名とする（ステップＳ２５）。
【００５８】
そして、詳細目的地取得手段１５は、個人履歴テーブル２２から詳細目的地を検索する（ステップＳ２６）。まず、会員ＩＤをキーに該当する個人履歴テーブル２２を検索し、抽出したユーザの個人履歴テーブル２２において、フライト情報の出発空港名、到着空港名、および航空会社名をキーに検索し、全てのキーが該当する詳細目的地を取得する。
【００５９】
個人履歴テーブル２２に該当する詳細目的地がなければ（ステップＳ２７）、さらに、詳細目的地マスタＤＢ２３から詳細目的地を取得する（ステップＳ２８）。すなわち、詳細目的地マスタＤＢ２３において、フライト情報の航空会社名、出発空港名、および到着空港名をキーに検索し、全てのキーが該当する詳細目的地を取得する。
【００６０】
さらに、到着希望時刻取得手段１６は、フライト情報の出発予定時刻から会員情報ＤＢ２１に登録された希望時間を差し引いて到着希望時刻を算出し（ステップＳ２９）、会員ＩＤをキーに会員情報ＤＢ２１を検索して自宅住所を取得し、出発地とする（ステップＳ２１０）。
【００６１】
このように、ユーザ端末３から出発日が入力されるだけで、出発地、予約情報を構成する出発日、詳細目的地、および到着希望時刻が特定される。
【００６２】
その後、予約受付手段１１は、出発日、出発地、詳細目的地、および到着希望時刻をユーザに確認させるための予約内容確認画面を生成してユーザ端末３に送信する。ユーザ端末３は予約内容確認画面を表示手段３２に表示する（図７：ステップＳ１３）。
【００６３】
図１１に、ユーザ端末３がコンピュータ端末である場合の予約内容確認画面の例を示す。予約内容確認画面では、入力された出発日に搭乗予定の航空便の便名、出発空港名（出発地）、到着空港名（目的地）、出発予定時刻（出発時刻）、到着予定時刻（到着時刻）、算出した空港への到着希望時刻、および詳細目的地（目的地）を表示して、ユーザに確認を促す。
【００６４】
なお、個人スケジュール情報取得手段１３が複数の便名を抽出した場合には、抽出した全ての便名のフライト情報を取得し、予約内容確認画面に出発予定時刻が早い順に並べて一覧表示し、詳細目的地を取得するための搭乗便名をユーザに選択させるようにしてもよい。この場合に、画面の初期表示状態として、一覧表示した航空便のうち出発予定時刻が最も早い航空便が搭乗便として選択されている状態とする。そして、詳細目的地取得手段１５および到着希望時刻取得手段１６は、出発予定時刻が最も早い航空便（搭乗便）についての到着希望時刻および詳細目的地を算出・取得する。予約内容確認画面にも、この到着希望時刻および詳細目的地が表示される。
【００６５】
これにより、ユーザは、予約内容確認画面の「ＯＫ」を選択するだけで予約情報が作成され、タクシーの配車予約の登録が可能となる。
【００６６】
さらに、予約内容確認画面では、出発日を選択できる日付リストを備えるようにしてもよい。ユーザによって日付リストから出発日（３月３日）が選択されると、予約受付手段１１は、入力された出発日にもとづいて取得した予約内容をユーザ端末３に送信する。ユーザ端末３は予約内容を示す予約内容確認画面を表示手段３２に表示する。
【００６７】
図１２に、ユーザ端末３がデータ通信機能付き携帯電話機である場合の予約内容確認画面の例を示す。
【００６８】
その後、予約内容確認画面においてユーザが変更を指示したかどうかを判断する（ステップＳ１４）。そして「出発地の変更」が指示された場合に、ユーザに出発地を入力させるための出発地入力画面をユーザ端末３に送信し、ユーザ端末３から受信した出発地を入力する（ステップＳ１５）。予約情報作成手段１７は、ユーザ端末３で入力された出発地を用いて予約情報を作成する。
【００６９】
また、予約内容確認画面で「詳細目的地の変更」が指示された場合に、詳細目的地指定処理を行う（ステップＳ１６）。
【００７０】
図９に示す詳細目的地指定処理において、詳細目的地取得手段１５は、会員ＩＤをキーに個人履歴テーブル２２を検索し、抽出したユーザの個人履歴テーブル２２において、フライト情報の出発空港名、到着空港名、または航空会社名をキーに検索し、いずれかのキーに該当する詳細目的地を抽出する（ステップＳ３０）。
【００７１】
さらに、詳細目的地マスタＤＢ２３を参照して、航空会社名、出発空港名、または到着空港名をキーに検索し、いずれかのキーに該当する詳細目的地を抽出する（ステップＳ３１）。そして、抽出した詳細目的地を選択可能な項目として一覧表示する選択欄と、ユーザが直接入力できる入力欄とを備えた詳細目的地選択画面を生成し、ユーザ端末３に送信する（ステップＳ３２）。
【００７２】
図１３に、ユーザ端末３がコンピュータ端末である場合の詳細目的地選択画面の例を、図１４に、ユーザ端末３がデータ通信機能付き携帯電話機である場合の詳細目的地選択画面の例を示す。
【００７３】
そして、詳細目的地選択画面の選択欄で詳細目的地が選択されるか、または入力欄で別の場所が入力されると、詳細目的地取得手段１５は、ユーザ端末３から選択された詳細目的地または入力された情報を受信し、詳細目的地として入力する（ステップＳ３３）。
【００７４】
また、予約内容確認画面で変更がなければ（図７：ステップＳ１４）、予約情報作成手段１７は、出発日、出発地、詳細目的地、および到着希望時刻をもとに予約情報を作成し、作成した予約情報を車両予約システム５に送信する（ステップＳ１７）。さらに、ユーザの予約受付が終了すると、予約受付手段１１は、予約履歴の蓄積処理を行う（ステップＳ１８）。
【００７５】
図１０の予約履歴の蓄積処理として、予約受付手段１１は、予約登録の対象となったフライト情報から出発空港、到着空港、航空会社名などの所定のデータを取り出し（ステップＳ４０）、会員ＩＤをキーに個人履歴テーブル２２を検索し（ステップＳ４１）、抽出した個人履歴テーブル２２へ、取り出したデータを利用日および利用時間を付けて書き込む（ステップＳ４２）。
【００７６】
以下に、出発日の入力を行わず会員ＩＤのみを入力した場合の予約登録支援処理を説明する。
【００７７】
この場合には、個人スケジュール情報取得手段１３は、ユーザ端末３から送信された会員ＩＤを入力すると、予約登録支援装置１のＯＳなどを参照して、会員ＩＤが入力された日付（入力日付）を取得する。そして、会員ＩＤをキーに個人スケジュール情報マスタＤＢ２４から該当する個人スケジュール情報を取得して、入力日付から最も早く到来する出発日を取得し、取得した出発日の搭乗便名を取得する。
【００７８】
例えば、個人スケジュール情報として、図１５に示すような情報が格納されているとする。会員ＩＤ（１２３４５６７８）が入力された入力日付が５月２３日である場合に、個人スケジュール情報取得手段１３は、出発日＝５月２５日、搭乗便名＝ＪＪＪ１２５を取得する。
【００７９】
図１６〜図１７を用いて、処理の流れを説明する。
【００８０】
図１６は、予約登録支援装置の概要処理フロー図、図１７は、搭乗便名の取得処理（図１６のステップＳ５０の処理）の処理フロー図である。なお、図１６に示す処理フロー図において、図７に示す処理ステップと同一番号が付与された処理ステップは、同様の処理を行うステップであるとする。
【００８１】
予約登録支援装置１の会員認証手段１２は、会員情報ＤＢ２１を参照して会員情報をもとに認証を行う（ステップＳ１０）。会員認証ができれば、個人スケジュール情報取得手段１３は、搭乗便名の取得処理を行う（ステップＳ５０）。
【００８２】
図１７に示す搭乗便名の取得処理において、個人スケジュール情報取得手段１３は、予約登録支援装置１のＯＳに問い合わせて、会員ＩＤを入力した入力日付を取得する（ステップＳ５１）。そして、入力された会員ＩＤをキーに、個人スケジュール情報マスタＤＢ２４を検索し、該当する個人スケジュール情報を取得して（ステップＳ５２）、個人スケジュール情報から、入力日付に直近の出発日、すなわち入力日付から最も早く到来する出発日を取得し、その出発日に搭乗を予定している便名とそのフライト情報を取得する（ステップＳ５３）。
【００８３】
なお、フライト情報取得手段１４は、個人スケジュール情報に、搭乗予定の航空便の便名とともにそのフライト情報が含まれていなければ、フライト情報マスタＤＢ２５を参照して、個人スケジュール情報から抽出した便名のフライト情報（出発空港名、到着空港名、航空会社名、出発予定時刻、到着予定時刻など）を取得するようにしてもよい。ここでは、図１５に示す個人スケジュール情報にフライト情報が含まれるため、フライト情報取得手段１４は、個人スケジュール情報のフライト情報を使用する。
【００８４】
そして、個人スケジュール情報から抽出した便名が複数であれば（ステップＳ５４）、フライト情報の出発予定時刻を参照して、最も早い出発予定時刻の便名を１つ抽出して搭乗便名とする（ステップＳ５５）。
【００８５】
詳細目的地取得手段１５は、個人履歴テーブル２２から詳細目的地を検索する（ステップＳ５６）。また、個人履歴テーブル２２に該当する詳細目的地がなければ（ステップＳ５７）、さらに、詳細目的地マスタＤＢ２３から詳細目的地を取得する（ステップＳ５８）。
【００８６】
さらに、到着希望時刻取得手段１６は、フライト情報の出発予定時刻から会員情報ＤＢ２１に登録された希望時間を差し引いて到着希望時刻を算出し（ステップＳ５９）、会員ＩＤをキーに会員情報ＤＢ２１を検索して自宅住所を取得し、出発地とする（ステップＳ５１０）。
【００８７】
このように、ユーザ端末３から会員ＩＤが入力されるだけで、出発地、予約情報を構成する出発日、詳細目的地、および到着希望時刻が特定される。
【００８８】
その後、予約受付手段１１は、出発日、出発地、詳細目的地、および到着希望時刻をユーザに確認させるための予約内容確認画面を生成してユーザ端末３に送信する。ユーザ端末３は、図１１のような予約内容確認画面を表示手段３２に表示する（図１６：ステップＳ１３）。
【００８９】
その後、予約内容確認画面においてユーザが変更を指示したかどうかを判断する（ステップＳ１４）。そして「出発地の変更」が指示された場合に、ユーザに出発地を入力させるための出発地入力画面をユーザ端末３に送信し、ユーザ端末３から受信した出発地を入力する（ステップＳ１５）。予約情報作成手段１７は、ユーザ端末３で入力された出発地を用いて予約情報を作成する。
【００９０】
また、予約内容確認画面で「詳細目的地の変更」が指示された場合に、詳細目的地指定処理を行う（ステップＳ１６）。
【００９１】
また、予約内容確認画面で変更がなければ（ステップＳ１４）、予約情報作成手段１７は、出発日、出発地、詳細目的地、および到着希望時刻をもとに予約情報を作成し、作成した予約情報を車両予約システム５に送信する（ステップＳ１７）。さらに、ユーザの予約受付が終了すると、予約受付手段１１は、予約履歴の蓄積処理を行う（ステップＳ１８）。
【００９２】
これにより、航空便の乗務員などであるユーザは、ユーザ端末３で会員ＩＤを入力し、予約登録支援装置１に送信するだけで直近の乗務のための配車予約登録を完了することができるうえ、必要に応じて、予約に必要な事項を変更することもできる。
【００９３】
以上、本発明をその実施の形態により説明したが、本発明はその主旨の範囲において種々の変形が可能であることは当然である。
【００９４】
本例では、個人スケジュール情報マスタＤＢ２４は、個人スケジュール情報として、会員ＩＤ、出発日、搭乗予定の航空便の便名などのデータで構成されるデータを管理するものとして説明したが、図３に示すように、個人スケジュール情報として、各便名について、出発空港、到着空港、出発予定時刻、到着予定時刻などのデータが含まれていてもよい。この場合に、予約登録支援装置１は、フライト情報取得手段１４を備える必要がなく、詳細目的地取得手段１５は、個人スケジュール情報取得手段１３で取得された個人スケジュール情報を用いて詳細目的地を特定する。
【００９５】
また、会員情報ＤＢ２１と個人スケジュール情報マスタＤＢ２４とが異なる識別情報によってユーザの情報を管理している場合には、会員情報ＤＢ２１に、個人スケジュール情報マスタＤＢ２４においてユーザごとの個人スケジュール情報を特定する個人識別情報を記憶しておく。そして、会員認証手段１２により会員認証された後、個人スケジュール情報取得手段１３は、会員ＩＤで特定したユーザの個人識別情報を用いて、ユーザの個人スケジュール情報を取得するようにしてもよい。
【００９６】
また、本発明は、コンピュータにより読み取られ実行される処理プログラムとして実施するものとして説明したが、本発明を実現する処理プログラムは、コンピュータが読み取り可能な、可搬媒体メモリ、半導体メモリ、ハードディスクなどの適当な記録媒体に格納することができ、これらの記録媒体に記録して提供され、または、通信インタフェースを介して種々の通信網を利用した送受信により提供されるものである。
【００９７】
本発明の形態および実施例の特徴を列記すると以下のとおりである。
【００９８】
（付記１）  航空便に搭乗する空港までのタクシー配車予約登録を支援する処理を、コンピュータに実行させるためのプログラムであって、
データ通信可能なユーザ端末から送信された、航空便に搭乗する予定の出発日を入力する処理と、
ユーザの出発日および搭乗予定の航空便の便名を示す個人スケジュール情報を格納する個人スケジュール情報マスタデータベースにアクセスし、前記出発日に搭乗予定の航空便の便名を取得する処理と、
航空便の運行に関するフライト情報を管理するフライト情報マスタデータベースにアクセスし、前記便名をキーに検索した航空便の航空会社および出発空港を取得する処理と、
航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【００９９】
（付記２）  航空便に搭乗する空港までのタクシー配車予約登録を支援する処理を、コンピュータに実行させるためのプログラムであって、
データ通信可能なユーザ端末から送信された、航空便に搭乗する予定の出発日を入力する処理と、
ユーザの、出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースにアクセスし、前記出発日に搭乗予定の航空便の便名および前記便名のフライト情報を取得する処理と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【０１００】
（付記３）  航空便に搭乗する空港までのタクシー配車予約登録を支援する処理を、コンピュータに実行させるためのプログラムであって、
データ通信可能なユーザ端末から送信された、ユーザを一意に特定する会員識別情報および航空便に搭乗する予定の出発日を入力する処理と、
ユーザごとに、会員識別情報、タクシーによる移動の出発地、および航空便の出発予定時刻までに必要な余裕時間を示す希望時間を登録した会員情報を格納する会員情報記憶手段にアクセスし、前記会員識別情報をキーに検索したユーザの出発地および希望時間を取得する処理と、
ユーザごとに出発日および搭乗予定の航空便の便名を示す個人スケジュール情報を格納する個人スケジュール情報マスタデータベースにアクセスし、前記出発日に搭乗予定の航空便の便名を取得する処理と、
航空便の運行に関するフライト情報を管理するフライト情報マスタデータベースにアクセスし、前記便名をキーに検索した航空便の航空会社、出発空港、到着空港、および出発予定時刻を取得する処理と、
航空会社および出発空港および到着空港の組み合わせごとに指定されたタクシーの降車場所を示す詳細目的地を格納する詳細目的地記憶手段にアクセスし、前記航空会社、出発空港および到着空港をキーに検索した詳細目的地を抽出する処理と、
前記出発予定時刻から前記希望時間を差し引いて到着希望時刻を算出する処理と、
前記出発日、前記出発地、前記詳細目的地および前記到着希望時刻を含む予約内容を示す画面を作成して前記ユーザ端末へ送信する処理と、
前記ユーザ端末から前記予約内容の確認指示を受信すると、前記出発日、前記出発地、前記詳細目的地および前記到着希望時刻をもとに車両予約のための予約情報を作成する処理とを、
コンピュータに実行させるためのタクシー配車予約登録支援プログラム。
【０１０１】
（付記４）  航空便に搭乗する空港までのタクシー配車予約登録を支援する処理を、コンピュータに実行させるためのプログラムであって、
データ通信可能なユーザ端末から送信された、ユーザを一意に特定する会員識別情報および航空便に搭乗する予定の出発日を入力する処理と、
ユーザごとに、会員識別情報、タクシーによる移動の出発地および航空便の出発予定時刻までに必要な余裕時間を示す希望時間を登録した会員情報を格納する会員情報記憶手段にアクセスし、前記会員識別情報をキーに検索したユーザの出発地および希望時間を取得する処理と、
ユーザごとに、出発日、搭乗予定の航空便の便名および前記便名の運行に関する情報であって少なくとも航空会社、出発空港、出発予定時刻を含むフライト情報を示す個人スケジュール情報を格納する個人スケジュール情報マスタデータベースにアクセスし、前記出発日に搭乗予定の航空便の便名および前記便名のフライト情報を取得する処理と、
航空会社および出発空港および到着空港の組み合わせごとに指定されたタクシーの降車場所を示す詳細目的地を格納する詳細目的地記憶手段にアクセスし、前記フライト情報の航空会社、出発空港および到着空港をキーに検索した詳細目的地を抽出する処理と、
前記出発予定時刻から前記希望時間を差し引いて到着希望時刻を算出する処理と、
前記出発日、前記出発地、前記詳細目的地および前記到着希望時刻を含む予約内容を示す画面を作成して前記ユーザ端末へ送信する処理と、
前記ユーザ端末から前記予約内容の確認指示を受信すると、前記出発日、前記出発地、前記詳細目的地および前記到着希望時刻をもとに車両予約のための予約情報を作成する処理とを、
コンピュータに実行させるためのタクシー配車予約登録支援プログラム。
【０１０２】
（付記５）  航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、航空便に搭乗する予定の出発日および搭乗予定の航空便の便名を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名を取得する処理と、
航空便の運行に関するフライト情報を管理するフライト情報マスタデータベースにアクセスし、前記便名をキーに検索した航空便の航空会社および出発空港を取得する処理と、
航空会社と出発空港との組み合わせごとに指定されたタクシーの降車場所を示す詳細目的地を格納する詳細目的地記憶手段にアクセスし、前記航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【０１０３】
（付記６）  航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、航空便に搭乗する予定の出発日、搭乗予定の航空便の便名および前記便名の運行に関する情報であって少なくとも航空会社、出発空港、出発予定時刻を含むフライト情報を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名と、前記便名のフライト情報を取得する処理と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理と、
前記詳細目的地を含む予約内容を示す画面を作成して前記ユーザ端末へ送信する処理と、
前記ユーザ端末から前記予約内容の確認指示を受信すると、前記詳細目的地を目的地とする車両予約のための予約情報を作成する処理とを、
コンピュータに実行させるためのタクシー配車予約登録支援プログラム。
【０１０４】
（付記７）  航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、会員識別情報、タクシーによる移動の出発地および航空便の出発予定時刻までに必要な余裕時間を示す希望時間を登録した会員情報を格納する会員情報記憶手段にアクセスし、前記会員識別情報をキーに検索した会員情報から出発地および希望時間を取得する処理と、
ユーザごとに、航空便に搭乗する予定の出発日および搭乗予定の航空便の便名を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名を取得する処理と、
航空便の運行に関するフライト情報を管理するフライト情報マスタデータベースにアクセスし、前記便名をキーに検索した航空便の航空会社、出発空港、到着空港、および出発予定時刻を取得する処理と、
航空会社および出発空港および到着空港の組み合わせごとに指定されたタクシーの降車場所を示す詳細目的地を格納する詳細目的地記憶手段にアクセスし、前記航空会社、出発空港および到着空港をキーに検索した詳細目的地を抽出する処理と、
前記出発予定時刻から前記希望時間を差し引いて到着希望時刻を算出する処理と、
前記出発日、前記出発地、前記詳細目的地および前記到着希望時刻を含む予約内容を示す画面を作成して前記ユーザ端末へ送信する処理と、
前記ユーザ端末から前記予約内容の確認指示を受信すると、前記出発日、前記出発地、前記詳細目的地および前記到着希望時刻をもとに車両予約のための予約情報を作成する処理とを、
コンピュータに実行させるためのタクシー配車予約登録支援プログラム。
【０１０５】
（付記８）  航空便に搭乗する空港までのタクシー配車予約登録を支援する処理を、コンピュータに実行させるためのプログラムであって、
データ通信可能なユーザ端末から送信された、ユーザを一意に特定する会員識別情報を入力する処理と、
前記会員識別情報が入力された入力日付を取得する処理と、
ユーザごとに、会員識別情報、タクシーによる移動の出発地、および航空便の出発予定時刻までに必要な余裕時間を示す希望時間を登録した会員情報を格納する会員情報記憶手段にアクセスし、前記会員識別情報をキーに検索した会員情報から出発地および希望時間を取得する処理と、
ユーザごとに、航空便に搭乗する予定の出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースにアクセスし、前記会員識別情報をキーに検索した個人スケジュール情報をもとに、前記入力日付から最も早く到来する出発日の搭乗予定の航空便の便名と前記便名のフライト情報とを取得する処理と、
航空会社および出発空港および到着空港の組み合わせごとに指定されたタクシーの降車場所を示す詳細目的地を格納する詳細目的地記憶手段にアクセスし、前記フライト情報の航空会社、出発空港および到着空港をキーに検索した詳細目的地を抽出する処理と、
前記出発予定時刻から前記希望時間を差し引いて到着希望時刻を算出する処理と、
前記出発日、前記出発地、前記詳細目的地および前記到着希望時刻を含む予約内容を示す画面を作成して前記ユーザ端末へ送信する処理と、
前記ユーザ端末から前記予約内容の確認指示を受信すると、前記出発日、前記出発地、前記詳細目的地および前記到着希望時刻をもとに車両予約のための予約情報を作成する処理とを、
コンピュータに実行させるためのタクシー配車予約登録支援プログラム。
【０１０６】
（付記９）  前記付記１ないし前記付記８のいずれかに記載のタクシー配車予約登録支援プログラムにおいて、
前記個人スケジュール情報マスタデータベースから複数の便名を取得した場合に、前記航空会社および前記出発空港を取得する処理では、前記複数の便名のフライト情報から出発予定時刻を取得し、前記出発予定時刻が最も早い時刻である便名をキーに検索した航空便の航空会社および出発空港を取得する処理を、
コンピュータに実行させるためのタクシー配車予約登録支援プログラム。
【０１０７】
（付記１０）  前記付記１ないし前記付記８のいずれかに記載のタクシー配車予約登録支援プログラムにおいて、
前記ユーザ端末で予約内容として確認された航空便の航空会社と出発空港とを含む予約履歴を個人履歴記憶手段に蓄積する処理と、
前記詳細目的地を抽出する処理において、前記詳細目的地記憶手段または前記個人履歴記憶手段のいずれかにアクセスし、前記航空会社および前記出発空港をキーに詳細目的地を抽出する処理とを、
コンピュータに実行させるためのタクシー配車予約登録支援プログラム。
【０１０８】
（付記１１）  航空便に搭乗する空港までのタクシー配車予約登録を支援する処理を、コンピュータであるユーザ端末に実行させるためのプログラムであって、
航空便に搭乗する予定の出発日を入力する処理と、
前記出発日を予約登録支援処理装置へ送信する処理と、
前記予約登録支援処理装置から、航空会社と出発空港との組み合わせに応じて指定されたタクシーの降車場所を示す詳細目的地を含む予約内容を受信する処理と、
前記予約内容を示す画面を表示する処理と、
前記予約内容に対する確認指示を前記予約登録支援処理装置へ送信する処理とを、
ユーザ端末に実行させるためのユーザ端末用タクシー配車予約登録支援プログラム。
【０１０９】
（付記１２）  航空便に搭乗する空港までのタクシー配車予約登録を支援する処理を、コンピュータであるユーザ端末に実行させるためのプログラムであって、
ユーザを特定する会員識別情報を入力する処理と、
前記会員識別情報を予約登録支援処理装置へ送信する処理と、
前記予約登録支援処理装置から、航空会社と出発空港との組み合わせに応じて指定されたタクシーの降車場所を示す詳細目的地を含む予約内容を受信する処理と、
前記予約内容を示す画面を表示する処理と、
前記予約内容に対する確認指示を前記予約登録支援処理装置へ送信する処理とを、
ユーザ端末に実行させるためのユーザ端末用タクシー配車予約登録支援プログラム。
【０１１０】
（付記１３）  航空便に搭乗する空港までのタクシー配車予約登録を支援する処理装置であって、
ユーザの、航空便に搭乗する予定の出発日および搭乗予定の便名を示す個人スケジュール情報を格納する個人スケジュール情報マスタデータベースと、
航空便の運行に関するフライト情報を管理するフライト情報マスタデータベースと、
航空会社と出発空港との組み合わせごとに指定されたタクシーの降車場所を示す詳細目的地を格納する詳細目的地記憶手段と、
データ通信可能なユーザ端末から送信された出発日を入力する処理手段と、
前記個人スケジュール情報マスタデータベースから、前記出発日に搭乗予定の航空便の便名を取得する処理手段と、
前記フライト情報マスタデータベースから、前記便名をキーに検索した航空便の航空会社および出発空港を取得する処理手段と、
前記詳細目的地記憶手段から、前記航空会社および前記出発空港をキーに詳細目的地を抽出する処理手段と、
前記詳細目的地を含む予約内容を示す画面を作成して前記ユーザ端末へ送信する処理手段と、
前記ユーザ端末から前記予約内容の確認指示を受信すると、前記詳細目的地を目的地とする車両予約のための予約情報を作成する処理手段とを、備える
ことを特徴とするタクシー配車予約登録支援処理装置。
【０１１１】
（付記１４）  航空便に搭乗する空港までのタクシー配車予約登録を支援する処理装置であって、
ユーザの、航空便に搭乗予定の出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースと、
データ通信可能なユーザ端末から送信された出発日を入力する処理手段と、
前記個人スケジュール情報マスタデータベースにアクセスし、前記出発日に搭乗予定の航空便の便名と、前記便名のフライト情報を取得する処理手段と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理手段と、
前記詳細目的地を含む予約内容を示す画面を作成して前記ユーザ端末へ送信する処理手段と、
前記ユーザ端末から前記予約内容の確認指示を受信すると、前記詳細目的地を目的地とする車両予約のための予約情報を作成する処理手段とを、備える
ことを特徴とするタクシー配車予約登録支援処理装置。
【０１１２】
（付記１５）  航空便に搭乗する空港までのタクシー配車予約登録を支援する処理装置であって、
ユーザごとに、航空便に搭乗する予定の出発日および搭乗予定の便名を示す個人スケジュール情報を格納する個人スケジュール情報マスタデータベースと、
航空便の運行に関するフライト情報を管理するフライト情報マスタデータベースと、
航空会社と出発空港との組み合わせごとに指定されたタクシーの降車場所を示す詳細目的地を格納する詳細目的地記憶手段と、
データ通信可能なユーザ端末から送信されたユーザを一意に特定する会員識別情報を入力する処理手段と、
前記会員識別情報が入力された入力日付を取得する処理手段と、
前記個人スケジュール情報マスタデータベースの前記会員識別情報の個人スケジュール情報をもとに、前記入力日付から最も早く到来する出発日の搭乗予定の航空便の便名を取得する処理手段と、
前記フライト情報マスタデータベースから、前記便名をキーに検索した航空便の航空会社および出発空港を取得する処理手段と、
前記詳細目的地記憶手段から、前記航空会社および前記出発空港をキーに詳細目的地を抽出する処理手段と、
前記詳細目的地を含む予約内容を示す画面を作成して前記ユーザ端末へ送信する処理手段と、
前記ユーザ端末から前記予約内容の確認指示を受信すると、前記詳細目的地を目的地とする車両予約のための予約情報を作成する処理手段とを、備える
ことを特徴とするタクシー配車予約登録支援処理装置。
【０１１３】
（付記１６）  航空便に搭乗する空港までのタクシー配車予約登録を支援する処理装置であって、
ユーザごとに、航空便に搭乗予定の出発日、搭乗予定の航空便の便名、および前記便名の運行に関する情報であって少なくとも航空会社、出発空港、出発予定時刻を含むフライト情報を示す個人スケジュール情報を格納する個人スケジュール情報マスタデータベースと、
データ通信可能なユーザ端末から送信されたユーザを一意に特定する会員識別情報を入力する処理手段と、
前記会員識別情報が入力された入力日付を取得する処理手段と、
前記個人スケジュール情報マスタデータベースの前記会員識別情報の個人スケジュール情報をもとに、前記入力日付から最も早く到来する出発日の搭乗予定の航空便の便名と、前記便名のフライト情報を取得する処理手段と、
航空会社と出発空港との組み合わせごとに指定されたタクシーの降車場所を示す詳細目的地を格納する詳細目的地記憶手段にアクセスし、前記フライト情報の航空会社および前記出発空港をキーに詳細目的地を抽出する処理手段と、
前記詳細目的地を含む予約内容を示す画面を作成して前記ユーザ端末へ送信する処理手段と、
前記ユーザ端末から前記予約内容の確認指示を受信すると、前記詳細目的地を目的地とする車両予約のための予約情報を作成する処理手段とを、備える
ことを特徴とするタクシー配車予約登録支援処理装置。
【図面の簡単な説明】
【０１１４】
【図１】本発明の予約登録支援装置の構成例を示す図である。
【図２】会員情報データベースのデータ構成例を示す図である。
【図３】個人スケジュール情報の例を示す図である。
【図４】フライト情報の例を示す図である。
【図５】個人履歴テーブルのデータ構成例を示す図である。
【図６】詳細目的地マスタデータベースのデータ構成例を示す図である。
【図７】予約登録支援装置の概要処理フローを示す図である。
【図８】搭乗便名の取得処理（図７のステップＳ１２の処理）の処理フローを示す図である。
【図９】詳細目的地指定処理（図７のステップＳ１６の処理）の処理フローを示す図である。
【図１０】予約履歴の蓄積処理（図７のステップＳ１８の処理）の処理フロー図である。
【図１１】ユーザ端末３がコンピュータ端末である場合の予約内容確認画面の例を示す図である。
【図１２】ユーザ端末３がデータ通信機能付き携帯電話機である場合の予約内容確認画面の例を示す図である。
【図１３】ユーザ端末３がコンピュータ端末である場合の詳細目的地選択画面の例を示す図である。
【図１４】ユーザ端末３がデータ通信機能付き携帯電話機である場合の詳細目的地選択画面の例を示す図である。
【図１５】個人スケジュール情報マスタデータベースのデータ構成例を示す図である。
【図１６】予約登録支援装置の概要処理フローを示す図である。
【図１７】搭乗便名の取得処理（図１６のステップＳ５０の処理）の処理フローを示す図である。
【符号の説明】
【０１１５】
１  予約登録支援装置
１１  予約受付手段
１２  会員認証手段
１３  個人スケジュール情報取得手段
１４  フライト情報取得手段
１５  詳細目的地取得手段
１６  到着希望時刻取得手段
１７  予約情報作成手段
２１  会員情報データベース（会員情報ＤＢ）
２２  個人履歴テーブル
２３  詳細目的地マスタデータベース（詳細目的地マスタＤＢ）
２４  個人スケジュール情報マスタデータベース（個人スケジュール情報マスタＤＢ）
２５  フライト情報マスタデータベース（フライト情報マスタＤＢ）
３  ユーザ端末
３１  入力手段
３２  表示手段
５  車両予約システム
【図１】
2005316933.tif 000003
【図２】
2005316933.tif 000004
【図３】
2005316933.tif 000005
【図４】
2005316933.tif 000006
【図５】
2005316933.tif 000007
【図６】
2005316933.tif 000008
【図７】
2005316933.tif 000009
【図８】
2005316933.tif 000010
【図９】
2005316933.tif 000011
【図１０】
2005316933.tif 000012
【図１１】
2005316933.tif 000013
【図１２】
2005316933.tif 000014
【図１３】
2005316933.tif 000015
【図１４】
2005316933.tif 000016
【図１５】
2005316933.tif 000017
【図１６】
2005316933.tif 000018
【図１７】
2005316933.tif 000019